(57)【要約】  本発明は、ＡＣ電源用ＬＥＤランプに関するものであって、従来のハロゲンランプと代替することができる。ＡＣ電源用ＬＥＤ基板の底面を、外周面の全体に冷却ピンが形成されているヒートシンク一体型の本体の基板ベースの役割りをする内側上面に、直接的に接続するので、ＡＣ電源用ＬＥＤが点灯作動する間に発生される熱の放出効率を極大化する。内側全体がクロム蒸着された反射漏斗がヒートシンク一体型の本体の上端から延長形成されて、ＡＣ電源用ＬＥＤが点灯作動する間の光を反射するので、ランプの照度を向上させることができる。【選択図】図２
2010520598.tif 000002
【特許請求の範囲】
【請求項１】
アルミニウム合金を用いて形成されたメタルＰＣＢであって、少なくとも一つ以上のＡＣ電源用ＬＥＤ（２１）が実装されているＡＣ電源用ＬＥＤ基板（２０）と；
基板ベースの役割りをする内側上面に付着されたグラファイト製の両面接着式の熱伝導テープ（２２）の上面に前記ＡＣ電源用ＬＥＤ基板（２０）の底面が接着されており、内側の全体がクロム蒸着された反射層（３１ａ）を有する反射漏斗（３１）が上端から延長形成されており、前記ＡＣ電源用ＬＥＤ基板（２０）に電源を印加する電源連結ユニットが挿入される電源連結口（３２）が内部を貫通して設けられており、外周面の全体に冷却ピン（３３）が形成されているアルミニウム製のヒートシンク一体型の本体（３０）と；
前記ヒートシンク一体型の本体（３０）の前記反射漏斗（３１）の開口部を覆う蓋（４０）と；から構成されることを特徴とするＡＣ電源用ＬＥＤランプ。
【請求項２】
前記ＡＣ電源用ＬＥＤ基板（２０）は、別個の固定ユニットによって前記ヒートシンク一体型の本体（３０）の内側上面に固定されていることを特徴とする請求項１に記載されたＡＣ電源用ＬＥＤランプ。
【請求項３】
前記蓋（４０）は、ガラス又はアクリル材で製造されたことを特徴とする請求項１に記載されたＡＣ電源用ＬＥＤランプ。
【発明の詳細な説明】
【技術分野】
【０００１】
本発明は、ランプに関するものであり、より詳しくは局部照明用として広く使用されているハロゲンランプと代替することができるＡＣ電源用ＬＥＤランプに関するものである。
【背景技術】
【０００２】
一般に局部照明でよく使用されるハロゲンランプは、展示場、売場、陳列台、作業台等の局部的なところを高い照度で照明するために使用される。
【０００３】
図１は、局部照明用でよく用いられる多面反射鏡（ＭＲ）ランプ、又は二色ハロゲンランプと呼ばれる反射鏡タイプのハロゲンランプを示す実施例である。ハロゲンランプ１０は、ガラス球１３と、絶縁部材１４と、反射鏡１６を有している。ハロゲンガスがガラス球１３の内部に注入されており、電極端子１２は、ガラス球１３の中でフィラメント１１と接続され、また、ガラス球１３の下端から外部に突出している。絶縁部材１４は、ガラス球１３の下端を囲んでいる。反射鏡１６は、絶縁部材１４を囲み、ガラス球１３から放出される光を反射する。反射鏡１６の上端の開口部が蓋１５によりカバーされている。
【０００４】
前記のように構成される反射鏡タイプのハロゲンランプは、普通の白熱灯と同様に、フィラメント１１の発光による光を放出する。反射鏡１６はガラス球１３から放出される光を屈折、又は集中させて反射して照度を向上させ、スポットライトができるようにする。
【０００５】
ガラス球１３内部のハロゲンガスは、フィラメント１１のタングステン粒子が気化されてガラス球１３内で蒸着することを防ぎ、気化された粒子と結合してタングステン粒子をフィラメント１１に復帰させるハロゲンサイクルを繰り返すことによりランプの寿命を延長し、明るさを均一に維持する。
【発明の開示】
【発明が解決しようとする課題】
【０００６】
一方、前記のように作動する従来のハロゲンランプの点灯のためには、通常の２２０Ｖの電源を１２Ｖの電源に変換する別の安定器を追加使用しなければならない。特に、白熱灯としてフィラメント１１を使用するので発熱量が多くなり、寿命が短くなる。
【０００７】
本発明の目的は、従来のハロゲンランプと代替することができ、ＡＣ電源用ＬＥＤを有するＡＣ電源用ＬＥＤ基板の底面を、外周面の全体に冷却ピンが設けられているヒートシンク一体型の本体の基板ベースの役割りをする内側上面に、直接接触されるようにしてＡＣ電源用ＬＥＤが点灯作動する間に発生される熱の放出効率を極大化することができるＡＣ電源用ＬＥＤランプを提供することである。
【０００８】
本発明の他の目的は、基板ベースの役割りをしながら、外周面の全体に冷却ピンが形成されているヒートシンク一体型の本体の上端から内側全体がクロム蒸着された反射漏斗が延長形成され、ＡＣ電源用ＬＥＤが点灯作動する間の光を反射することにより、照度を向上させるＡＣ電源用ＬＥＤランプを提供することである。
【課題を解決するための手段】
【０００９】
前記のような本発明の目的を達成するために、本発明によるＡＣ電源用ＬＥＤランプは、少なくとも一つ以上のＡＣ電源用ＬＥＤが実装されているＡＣ電源用ＬＥＤ基板と；基板ベースの役割りをする内側上面に付着された両面接着式の熱伝導テープの上面に前記ＡＣ電源用ＬＥＤ基板の底面が接着されており、内側の全体がクロム蒸着された反射漏斗が上端から延びて形成されており、前記ＡＣ電源用ＬＥＤ基板に電源を印加する電源連結ユニットが挿入される電源連結口が内部を貫通して設けられており、外周面の全体に冷却ピンが形成されているアルミニウム製のヒートシンク一体型の本体と；前記ヒートシンク一体型の本体の前記反射漏斗の開口部を覆う蓋と；を有する。
【発明の効果】
【００１０】
本発明によるＡＣ電源用ＬＥＤランプは、従来のハロゲンランプを代替することができ、ＡＣ電源用ＬＥＤ基板の底面を、外周面の全体に冷却ピンが形成されているヒートシンク一体型の本体の基板ベースの役割りをする内側上面に、直接的に接続されるようにするので、ＡＣ電源用ＬＥＤが点灯作動する間に発生される熱の放出作用を極大化することができる。
【００１１】
更に、ヒートシンク一体型の本体の上端から内側全体がクロム蒸着された反射漏斗が延長形成され、ＡＣ電源用ＬＥＤが点灯作動する間の光を反射するので、ランプの照度を向上させることができる。
【図面の簡単な説明】
【００１２】
【図１】図１は、従来の反射鏡タイプのハロゲンランプを示す図。
【図２】図２は、本発明によるＡＣ電源用ＬＥＤランプを示す図。
【発明を実施するための形態】
【００１３】
以下、本発明について図面を参照して、詳細に説明する。
【００１４】
図２に示されるように、ＡＣ電源用ＬＥＤ基板２０は、少なくとも一つ以上のＡＣ電源用ＬＥＤ２１が実装されており、ヒートシンク一体型の本体３０に接着される。
【００１５】
ＡＣ電源用ＬＥＤ基板２０は、アルミニウム合金を用いて製造されるメタルＰＣＢ（printed circuit board）である。少なくとも一つ以上のＡＣ電源用ＬＥＤ２１がＡＣ電源用ＬＥＤ基板２０に実装されており、ＡＣ電源用ＬＥＤ基板２０の底面に熱伝導テープ２２が付着されている。
【００１６】
前記ＡＣ電源用ＬＥＤ基板２０は、ネジ等のような別々の固定部材によってヒートシンク一体型の本体３０の上面に固定される。
【００１７】
ヒートシンク一体型の本体３０は、アルミニウム材で形成されている。ＡＣ電源用ＬＥＤ基板２０の底面は、基板ベースの役割りをする内側上面に付着された熱伝導テープ２２の上面に付着されており、内側全体がクロム蒸着された反射層３１ａを有する反射漏斗３１が上端から延長形成されており、ＡＣ電源用ＬＥＤ基板２０に電源を印加する電源連結ユニットが挿入される電源連結口３２が内部を貫通して設けられており、外周面の全体に冷却ピン３３が形成されている。
【００１８】
熱伝導テープ２２は、グラファイトで製造された両面接着式の熱伝導テープであり、アルミニウムに比べて相対的に値段が安く、アルミニウムのように高い熱伝導性と耐熱性を有する。
【００１９】
電源連結口３２は、その内面を耐熱及び絶縁処理し、ＡＣ電源用ＬＥＤ基板２０からヒートシンク一体型の本体３０の冷却ピン３３に放出される熱が電源連結ユニットに伝導されることを防ぐようにしてもよい。
【００２０】
電源連結ユニットは、普通の電線やリード線、又はこのような電線やリード線を含む電極端子等を使用することができる。
【００２１】
ヒートシンク一体型の本体３０の反射漏斗３１の開口部をカバーする蓋４０は、ガラス又はアクリル材で形成してもよい。
【００２２】
上記のように構成される本発明によるＡＣ電源用ＬＥＤランプは、次のように作動する。
【００２３】
ＡＣ電源用ＬＥＤ基板２０上の少なくとも一つ以上のＡＣ電源用ＬＥＤ２１が、電源連結口３２に挿入された電源連結ユニットにより供給されるＡＣ電源によって点灯される間に、ヒートシンク一体型の本体３０の基板ベースの役割りをする内側上面に、その底面が接着されているＡＣ電源用ＬＥＤ基板２０から発生する熱は、２つの経路を通じて外部に放出される。
【００２４】
一つ目は、ＡＣ電源用ＬＥＤ基板２０から発生される熱の一部は、ＡＣ電源用ＬＥＤ基板２０の上端の周辺をカバーする反射漏斗３１に直接伝導されて外部に放出される。
【００２５】
二つ目は、ＡＣ電源用ＬＥＤ基板２０から発生される熱の他の一部は、ＡＣ電源用ＬＥＤ基板２０の底面とグラファイト熱伝導テープ２２を経由して、ＡＣ電源用ＬＥＤ基板２０の底面と接続しているヒートシンク一体型の本体３０の上面に直接伝導されて、ヒートシンク一体型の本体３０の外周面の全体に形成されている冷却ピン３３を通じて外部に放出される。実際に、ＡＣ電源用ＬＥＤ２１が点灯作動される間に発生される熱の大部分（例えば、略９０％以上）がＡＣ電源用ＬＥＤ基板２０の底面を通じて外部に放出される。
【００２６】
前記のようにＡＣ電源用ＬＥＤ基板２０の底面を、外周面の全体に冷却ピン３３が形成されているヒートシンク一体型の本体３０に直接的に接続されるようにして熱を伝導すると、ＡＣ電源用ＬＥＤ２１が点灯作動する間に発生される熱の放出効率を極大化することができる。これによって本発明におけるＡＣ電源用ＬＥＤランプの過熱が防止される。
【００２７】
一方、ＡＣ電源用ＬＥＤ２１が点灯作動する間に発生される光は、反射漏斗３１のクロムコーティング処理された反射層３１ａにより反射されるので、ＡＣ電源用ＬＥＤ２１の照度を向上させることができる。
【００２８】
参考として、本発明者が本発明によるＡＣ電源用ＬＥＤランプと図１に示す従来のハロゲンランプ１０に対して、同一の条件で各々の温度と光量を測定した。測定の結果、次の表１のような差を示した。
【表１】
2010520598.tif 000003
【００２９】
上表１によると、本発明の放熱作用はハロゲンランプより向上され、光量はハロゲンランプよりも大きい。
【００３０】
以上で説明した本発明によるＡＣ電源用ＬＥＤランプは、前記した実施例に限定されず、特許請求の範囲で定められた範囲と要旨から逸脱せずに、本発明が属する分野で多様に変更、追加、代替することができる。
【符号の説明】
【００３１】
１０  ハロゲンランプ
１１  フィラメント
１２  電極端子
１３  ガラス球
１４  絶縁部材
１５  蓋
１６  反射鏡
２０  ＡＣ電源用ＬＥＤ基板
２１  ＡＣ電源用ＬＥＤ
２２  熱伝導テープ
３０  ヒートシンク一体型の本体
３１  反射漏斗
３１ａ  反射層
３２  電源連結口
３３  冷却ピン
４０  蓋
５０  ソケット
６０  プラグ
【図１】
2010520598.tif 000004
【図２】
2010520598.tif 000005
【国際調査報告】
2010520598.tif 000006
2010520598.tif 000007